(57)【要約】【課題】作業者が持ち手部品を手で掴んで搬送する際の姿勢が安定するヘッドアッセンブリを提供する。【解決手段】ヘッドアッセンブリ１は、ベース部材３と、持ち手部品２と、軸部材３３とを備える。持ち手部品２は、作業者によって把持される。軸部材３３は、持ち手部品２を回転自在に支持する。ベース部材３は、持ち手部品２の回転を規制して持ち手部品２を搬送姿勢に保持する第１保持部３４を有する。第１保持部３４は、持ち手部品２の一部が嵌合する嵌合穴３６を有する。第１保持部３４は、持ち手部品２の一部が嵌合穴３６に嵌合することに応じて持ち手部品２を搬送姿勢に保持するように構成されている。搬送姿勢は、作業者が持ち手部品２を把持してヘッドアッセンブリ１を搬送する際の姿勢を示す。【選択図】図７
2020121516.tif 000002
【特許請求の範囲】
【請求項１】
インクジェット記録装置が備える設置部に設置されるヘッドアッセンブリであって、
インクを吐出する記録ヘッドと、
前記記録ヘッドを支持するベース部材と、
作業者によって把持される持ち手部品と、
前記持ち手部品を回転自在に支持する軸部材と
を備え、
前記持ち手部品の姿勢は、前記持ち手部品が回転することにより、収納姿勢と搬送姿勢との間で遷移し、
前記ベース部材は、前記持ち手部品の回転を規制して前記持ち手部品を前記搬送姿勢に保持する第１保持部を有し、
前記第１保持部は、前記持ち手部品の一部が嵌合する嵌合穴を有し、
前記第１保持部は、前記持ち手部品の一部が前記嵌合穴に嵌合することに応じて前記持ち手部品を前記搬送姿勢に保持するように構成されており、
前記搬送姿勢は、作業者が前記持ち手部品を把持して前記ヘッドアッセンブリを搬送する際の姿勢を示す、ヘッドアッセンブリ。
【請求項２】
前記ベース部材は、前記持ち手部品を前記収納姿勢に保持する第２保持部を有し、
前記第２保持部は、前記持ち手部品が当接する当接面を有し、
前記第２保持部は、前記持ち手部品が前記当接面に当接したことに応じて前記持ち手部品を前記収納姿勢に保持するように構成されており、
前記収納姿勢は、前記ヘッドアッセンブリが前記設置部に設置された後の姿勢を示す、請求項１に記載のヘッドアッセンブリ。
【請求項３】
前記持ち手部品は、前記当接面に当接する曲がり部を有する、請求項２に記載のヘッドアッセンブリ。
【請求項４】
前記曲がり部が前記嵌合穴に嵌合する、請求項３に記載のヘッドアッセンブリ。
【請求項５】
前記持ち手部品は、前記軸部材が挿入される長穴を有し、
前記第１保持部は、前記長穴の長軸に沿って前記持ち手部品が移動することに応じて、前記持ち手部品の一部が前記嵌合穴に嵌合するように構成されている、請求項１から請求項４のいずれか１項に記載のヘッドアッセンブリ。
【請求項６】
前記ベース部材は、前記第１保持部に対向する突き当て部を有し、
前記第１保持部と前記突き当て部とは、前記ヘッドアッセンブリを前記設置部へ設置する方向において対向する、請求項５に記載のヘッドアッセンブリ。
【請求項７】
請求項１から請求項６のいずれか１項に記載のヘッドアッセンブリと、
前記ヘッドアッセンブリが設置される前記設置部と
を備える、インクジェット記録装置。
【発明の詳細な説明】
【技術分野】
【０００１】
本発明は、ヘッドアッセンブリ、及びインクジェット記録装置に関する。
【背景技術】
【０００２】
インクジェット記録装置の一種に、ラインヘッド式のインクジェット記録装置がある。ラインヘッド式のインクジェット記録装置は、搬送中の記録媒体に向けて記録ヘッドからインクを吐出して、記録媒体に画像を記録する。記録ヘッドは、インクを吐出するノズル孔が形成されたノズル面を有する。
【０００３】
ラインヘッド式のインクジェット記録装置は、一般的に、複数の記録ヘッドを有するヘッドアッセンブリを備える。複数の記録ヘッドは、記録媒体の搬送方向に直交する記録媒体の幅方向に並べて配置される。また、ラインヘッド式のインクジェット記録装置は、１つのヘッドアッセンブリの各記録ヘッドから１色（同色）のインクを吐出するように構成されている。したがって、カラー印刷に対応するラインヘッド式のインクジェット記録装置は、例えば４つのヘッドアッセンブリを備える。詳しくは、イエロー色、シアン色、マゼンタ色、及び黒色の各色に対応するヘッドアッセンブリがインクジェット記録装置の装置本体に搭載される。各色のヘッドアッセンブリは、記録媒体の搬送方向に並べて配置される。例えば、特許文献１には、４つのヘッドユニットと、４つのヘッドユニットを支持するヘッドユニット支持部材とを備える画像形成装置が開示されている。
【０００４】
ラインヘッド式のインクジェット記録装置は、記録ヘッドの修理又は交換のために、作業者による装置本体からのヘッドアッセンブリの取り外し、及び、作業者による装置本体へのヘッドアッセンブリの取り付けが可能である。
【先行技術文献】
【特許文献】
【０００５】
【特許文献１】特開２００５−１１９３８号公報
【発明の概要】
【発明が解決しようとする課題】
【０００６】
装置本体からのヘッドアッセンブリの取り外し、及び、装置本体へのヘッドアッセンブリの取り付けを作業者が容易に実行できるように、ヘッドアッセンブリに持ち手部品を取り付けることが考えられる。また、装置本体の小型化のために、持ち手部品を回転可能にヘッドアッセンブリに取り付けることが考えられる。
【０００７】
しかしながら、持ち手部品を回転可能にヘッドアッセンブリに取り付けた場合、作業者が持ち手部品を手で掴んでヘッドアッセンブリを搬送する際に、ヘッドアッセンブリの姿勢が安定しない。したがって、装置本体からのヘッドアッセンブリの取り外し時、及び、装置本体へのヘッドアッセンブリの取り付け時に、ヘッドアッセンブリの姿勢が安定しない。その結果、装置本体の内部でヘッドアッセンブリが装置本体の構成部品に衝突して、ヘッドアッセンブリが破損するおそれがある。
【０００８】
本発明は上記課題に鑑みてなされたものであり、その目的は、作業者が持ち手部品を手で掴んで搬送する際の姿勢が安定するヘッドアッセンブリ、及びインクジェット記録装置を提供することにある。
【課題を解決するための手段】
【０００９】
本発明のヘッドアッセンブリは、インクジェット記録装置が備える設置部に設置される。当該ヘッドアッセンブリは、記録ヘッドと、ベース部材と、持ち手部品と、軸部材とを備える。前記記録ヘッドは、インクを吐出する。前記ベース部材は、前記記録ヘッドを支持する。前記持ち手部品は、作業者によって把持される。前記軸部材は、前記持ち手部品を回転自在に支持する。前記持ち手部品の姿勢は、前記持ち手部品が回転することにより、収納姿勢と搬送姿勢との間で遷移する。前記ベース部材は、第１保持部を有する。前記第１保持部は、前記持ち手部品の回転を規制して、前記持ち手部品を前記搬送姿勢に保持する。前記第１保持部は、嵌合穴を有する。前記嵌合穴には、前記持ち手部品の一部が嵌合する。前記第１保持部は、前記持ち手部品の一部が前記嵌合穴に嵌合することに応じて前記持ち手部品を前記搬送姿勢に保持するように構成されている。前記搬送姿勢は、作業者が前記持ち手部品を把持して前記ヘッドアッセンブリを搬送する際の姿勢を示す。
【００１０】
本発明のインクジェット記録装置は、上記のヘッドアッセンブリと、設置部とを備える。前記設置部には、上記のヘッドアッセンブリが設置される。
【発明の効果】
【００１１】
本発明のヘッドアッセンブリ、及びインクジェット記録装置によれば、作業者が持ち手部品を手で掴んでヘッドアッセンブリを搬送する際に、ヘッドアッセンブリの姿勢が安定する。
【図面の簡単な説明】
【００１２】
【図１】本発明の実施形態に係るインクジェット記録装置を示す図である。
【図２】本発明の実施形態に係るヘッドアッセンブリを示す斜視図である。
【図３】本発明の実施形態に係るヘッドアッセンブリを示す背面図である。
【図４】本発明の実施形態に係るヘッドアッセンブリの一部を拡大して示す斜視図である。
【図５】本発明の実施形態に係るヘッドアッセンブリの一部を拡大して示す背面図である。
【図６】本発明の実施形態に係るヘッドアッセンブリを示す斜視図である。
【図７】本発明の実施形態に係るヘッドアッセンブリを示す背面図である。
【図８】本発明の実施形態に係るヘッドアッセンブリの一部を拡大して示す斜視図である。
【図９】本発明の実施形態に係るヘッドアッセンブリの一部を拡大して示す背面図である。
【図１０】本発明の実施形態に係るヘッドアッセンブリを示す背面図である。
【図１１】本発明の実施形態に係るヘッドアッセンブリの一部を拡大して示す斜視図である。
【図１２】本発明の実施形態に係るヘッドアッセンブリの一部を拡大して示す背面図である。
【図１３】本発明の実施形態に係るインクジェット記録装置の一部を拡大して示す図である。
【図１４】本発明の実施形態に係るインクジェット記録装置の一部を拡大して示す図である。
【図１５】本発明の実施形態に係るインクジェット記録装置の構成を示す図である。
【発明を実施するための形態】
【００１３】
以下、図面を参照して本発明の実施形態を説明する。但し、図中、同一又は相当部分については同一の参照符号を付して説明を繰り返さない。また、説明が重複する箇所については、適宜説明を省略する場合がある。なお、図面には、理解を容易にするために、前後方向、上下方向、及び左右方向を記載しているが、本発明に係るヘッドアッセンブリ及びインクジェット記録装置の製造時及び使用時の向きを限定する意図はない。
【００１４】
まず、図１を参照して、本実施形態のインクジェット記録装置１００を説明する。図１は、本実施形態に係るインクジェット記録装置１００を示す図である。詳しくは、図１は、右斜め後ろの上方から見た設置部６を示す。また、図１は、設置部６に設置されている４つのヘッドアッセンブリ１を示す。図１に示すように、インクジェット記録装置１００は、４つのヘッドアッセンブリ１と、設置部６とを備える。
【００１５】
４つのヘッドアッセンブリ１は、インクジェット記録装置１００の装置本体に着脱自在に搭載される。具体的には、４つのヘッドアッセンブリ１は、着脱自在に設置部６に設置される。設置部６は、上面が開放された枠体であり、４つのヘッドアッセンブリ１を収容する。設置部６は、インクジェット記録装置１００が備える本体フレームに支持される。４つのヘッドアッセンブリ１の各々は、作業者によって把持される持ち手部品２を備える。４つのヘッドアッセンブリ１は、第１ヘッドアッセンブリ１１と、第２ヘッドアッセンブリ１２と、第３ヘッドアッセンブリ１３と、第４ヘッドアッセンブリ１４とを含む。
【００１６】
ヘッドアッセンブリ１が設置部６に設置されているとき、持ち手部品２は収納姿勢を取る。具体的には、作業者が、ヘッドアッセンブリ１を設置部６に設置した後に、持ち手部品２の姿勢を収納姿勢にする。収納姿勢は、上下方向に対して傾いた姿勢である。持ち手部品２が収納姿勢を取ることにより、ヘッドアッセンブリ１の高さを低くすることができる。したがって、インクジェット記録装置１００の低背化を図ることができる。
【００１７】
次に、図２を参照して、本実施形態のヘッドアッセンブリ１を説明する。図２は、本実施形態に係るヘッドアッセンブリ１を示す斜視図である。詳しくは、図２は、右斜め後ろの上方から見たヘッドアッセンブリ１を示す。また、図２は、収納姿勢の持ち手部品２を示す。
【００１８】
図２に示すように、ヘッドアッセンブリ１は、２つの持ち手部品２を備える。また、ヘッドアッセンブリ１は、２つの持ち手部品２に加えて、ベース部材３と、複数の記録ヘッド４と、複数の連結部材５とを備える。
【００１９】
ヘッドアッセンブリ１は長尺の部品であり、第１端部１ａと、第１端部１ａとは反対側の第２端部１ｂとを有する。第１端部１ａは、ヘッドアッセンブリ１の長手方向における一方の端部であり、第２端部１ｂは、ヘッドアッセンブリ１の長手方向における他方の端部である。本実施形態において、ヘッドアッセンブリ１の第１端部１ａは左側の端部であり、ヘッドアッセンブリ１の第２端部１ｂは右側の端部である。
【００２０】
２つの持ち手部品２は、第１持ち手部品２ａと、第２持ち手部品２ｂとを含む。第１持ち手部品２ａは、ヘッドアッセンブリ１の第１端部１ａ側に配置される。第２持ち手部品２ｂは、ヘッドアッセンブリ１の第２端部１ｂ側に配置される。ベース部材３は、長尺の部材であり、前壁３１と、後壁３２とを有する。
【００２１】
詳しくは、持ち手部品２は、第１支持部２１と、第２支持部２２と、持ち手部２３とを有する。第１支持部２１は、ベース部材３の後壁３２側に回転自在に取り付けられる。第２支持部２２は、ベース部材３の前壁３１側に回転自在に取り付けられる。持ち手部品２が収納姿勢である場合、第１持ち手部品２ａの第１支持部２１及び第２支持部２２は、左斜め上へ延びる。また、第２持ち手部品２ｂの第１支持部２１及び第２支持部２２は、右斜め上へ延びる。なお、持ち手部品２の姿勢は、持ち手部品２が回転することにより、収納姿勢と、図６及び図７を参照して説明する搬送姿勢との間で遷移する。
【００２２】
持ち手部２３は、作業者がヘッドアッセンブリ１を搬送中に掴む部分である。持ち手部２３は、前後方向に延びる。持ち手部２３の一端は、第１支持部２１の先端に連結される。持ち手部２３の他端は、第２支持部２２の先端に連結される。
【００２３】
ベース部材３は、複数の記録ヘッド４を支持する。本実施形態において、ベース部材３は、複数の連結部材５を介して、複数の記録ヘッド４を支持する。換言すると、複数の連結部材５は、複数の記録ヘッド４をベース部材３に連結する。
【００２４】
より具体的には、複数の記録ヘッド４は、第１記録ヘッド４ａ〜第３記録ヘッド４ｃを含む。第１記録ヘッド４ａは、ヘッドアッセンブリ１の第１端部１ａ側に配置される。第２記録ヘッド４ｂは、ヘッドアッセンブリ１の第２端部１ｂ側に配置される。第３記録ヘッド４ｃは、ヘッドアッセンブリ１の中央部に配置される。また、第１記録ヘッド４ａ〜第３記録ヘッド４ｃは、ベース部材３の長手方向に沿って千鳥状に配置される。詳しくは、第３記録ヘッド４ｃは、第１記録ヘッド４ａ及び第２記録ヘッド４ｂと比べて後ろ側に配置される。
【００２５】
ヘッドアッセンブリ１は、記録ヘッド４ごとに、２つの連結部材５を備える。２つの連結部材５は、第１連結部材５ａ、及び第２連結部材５ｂを含む。第１連結部材５ａは、対応する記録ヘッド４の左側に配置されて、対応する記録ヘッド４の左側の端部をベース部材３に連結する。第２連結部材５ｂは、対応する記録ヘッド４の右側に配置されて、対応する記録ヘッド４の右側の端部をベース部材３に連結する。本実施形態において、ベース部材３に対して記録ヘッド４が配置される側は下側であり、その反対側は上側である。
【００２６】
次に、図３を参照して、本実施形態のヘッドアッセンブリ１を説明する。具体的には、ベース部材３の後壁３２側の構成を説明する。図３は、本実施形態に係るヘッドアッセンブリ１を示す背面図である。図３は、収納姿勢の持ち手部品２を示す。
【００２７】
図３に示すように、ヘッドアッセンブリ１は、ベース部材３の後壁３２側に配置された２つの軸部材３３を更に備える。軸部材３３は、前後方向に延びて、持ち手部品２を回転自在に支持する。具体的には、軸部材３３は、持ち手部品２の第１支持部２１を、第１回転方向Ｒ１及び第２回転方向Ｒ２に回転自在に支持する。第２回転方向Ｒ２は、第１回転方向Ｒ１とは反対の回転方向を示す。
【００２８】
より詳しくは、第１支持部２１は、第１支持部２１が延びる方向に長い長穴２４を有する。本実施形態において、長穴２４は、第１支持部２１の基端部２５に形成された貫通穴である。軸部材３３は長穴２４に挿入されて、第１支持部２１を回転自在に支持する。
【００２９】
２つの軸部材３３は、第１軸部材３３ａと、第２軸部材３３ｂとを含む。第１軸部材３３ａは、ヘッドアッセンブリ１の第１端部１ａ側に配置されて、第１持ち手部品２ａの第１支持部２１を回転自在に支持する。すなわち、第１軸部材３３ａは、第１持ち手部品２ａの長穴２４に挿入されて、第１持ち手部品２ａを回転自在に支持する。また、第２軸部材３３ｂは、ヘッドアッセンブリ１の第２端部１ｂ側に配置されて、第２持ち手部品２ｂの第１支持部２１を回転自在に支持する。すなわち、第２軸部材３３ｂは、第２持ち手部品２ｂの長穴２４に挿入されて、第２持ち手部品２ｂを回転自在に支持する。
【００３０】
以上、図３を参照して、ベース部材３の後壁３２側の構成を説明した。なお、ベース部材３の前壁３１側の構成は、図３を参照して説明した後壁３２側の構成と同様である。すなわち、ヘッドアッセンブリ１は、ベース部材３の前壁３１側に配置された２つの軸部材を更に備える。前壁３１側の軸部材の一方は、第１持ち手部品２ａの第２支持部２２を回転自在に支持する。前壁３１側の軸部材の他方は、第２持ち手部品２ｂの第２支持部２２を回転自在に支持する。詳しくは、持ち手部品２の第２支持部２２は、第１支持部２１と同様に、第２支持部２２が延びる方向に長い長穴を有する。前壁３１側の軸部材は、第２支持部２２の長穴に挿入されて、第１回転方向Ｒ１及び第２回転方向Ｒ２に第２支持部２２を回転自在に支持する。
【００３１】
本実施形態の持ち手部品２は、収納姿勢から第１回転方向Ｒ１へ回転すると、上下方向に沿った姿勢となる。換言すると、持ち手部品２は、鉛直方向に沿った姿勢となる。また、持ち手部品２は、上下方向に沿った姿勢から第２回転方向Ｒ２へ回転すると、収納姿勢となる。作業者は、ヘッドアッセンブリ１を搬送する際に、持ち手部品２を第１回転方向Ｒ１へ回転させて上下方向に沿った姿勢とし、持ち手部２３を手で把持してヘッドアッセンブリ１を持ち上げる。
【００３２】
続いて図３を参照して、ベース部材３の後壁３２側の構成を更に説明する。図３に示すように、ベース部材３の後壁３２は、２つの第１保持部３４を有する。２つの第１保持部３４のうちの一方は、ヘッドアッセンブリ１の第１端部１ａ側に配置される。２つの第１保持部３４のうちの他方は、ヘッドアッセンブリ１の第２端部１ｂ側に配置される。第１保持部３４は、作業者によるヘッドアッセンブリ１の搬送中に、持ち手部品２の回転を規制する。以下、ヘッドアッセンブリ１の第１端部１ａ側に配置される第１保持部３４を「左側の第１保持部３４ａ」又は「第１保持部３４ａ」と記載する場合がある。同様に、ヘッドアッセンブリ１の第２端部１ｂ側に配置される第１保持部３４を「右側の第１保持部３４ｂ」又は「第１保持部３４ｂ」と記載する場合がある。
【００３３】
左側の第１保持部３４ａは、第１持ち手部品２ａの回転を規制する。右側の第１保持部３４ｂは、第２持ち手部品２ｂの回転を規制する。本実施形態において、左側の第１保持部３４ａは、第１軸部材３３ａの上方に配置される。右側の第１保持部３４ｂは、第２軸部材３３ｂの上方に配置される。
【００３４】
続いて図３を参照して、記録ヘッド４について説明する。図３に示すように、記録ヘッド４はノズル面４１を有する。記録ヘッド４は、ノズル面４１からインクを吐出する。具体的には、ノズル面４１に多数のノズル孔が形成されており、ノズル孔からインクが吐出される。ノズル面４１は、記録ヘッド４の下面（底面）の少なくとも一部を構成する。なお、第１記録ヘッド４ａ〜第３記録ヘッド４ｃは、同色のインクを吐出する。
【００３５】
次に、図４を参照して、ベース部材３の後壁３２側の構成を更に説明する。また、図４を参照して、第２持ち手部品２ｂの第１支持部２１の構成を更に説明する。図４は、本実施形態に係るヘッドアッセンブリ１の一部を拡大して示す斜視図である。詳しくは、図４は、右斜め後ろの上方から見た第２軸部材３３ｂとその近傍を拡大して示す。また、図４は、収納姿勢の第２持ち手部品２ｂを示す。
【００３６】
図４に示すように、ベース部材３は、後壁３２に形成された通過穴３５を有する。換言すると、後壁３２が通過穴３５を有する。通過穴３５は貫通穴である。通過穴３５は、第２軸部材３３ｂを回転中心とする第２持ち手部品２ｂの回転軌跡に沿った空間を形成する。
【００３７】
図４に示すように、第１保持部３４ｂは、後壁３２に形成された嵌合穴３６を有する。換言すると、ベース部材３の後壁３２が嵌合穴３６を有する。嵌合穴３６は貫通穴である。嵌合穴３６は、通過穴３５に接続する。
【００３８】
図４に示すように、第１支持部２１は、曲がり部２６を有する。曲がり部２６は、例えば、第１支持部２１を曲げ加工して形成する。曲がり部２６は、前端と後端とを有する。後端は、前端よりも後方に位置する。詳しくは、曲がり部２６の前端は、後壁３２の内側に位置する。曲がり部２６の後端は、後壁３２の外側に位置する。曲がり部２６は、例えば、前後方向に沿って配置される。第１支持部２１の基端部２５は、曲がり部２６の前端に接続する。第１支持部２１のうち、曲がり部２６よりも先端側の部分は、曲がり部２６の後端に接続する。
【００３９】
第２軸部材３３ｂを回転中心として第２持ち手部品２ｂが回転する際に、第２持ち手部品２ｂの曲がり部２６は、通過穴３５に沿って回転する。具体的には、第２持ち手部品２ｂの曲がり部２６は、図３を参照して説明した第１回転方向Ｒ１へ第２持ち手部品２ｂを回転させると、嵌合穴３６の下方に移動する。
【００４０】
次に、図５を参照して、ベース部材３の後壁３２側の構成を更に説明する。図５は、本実施形態に係るヘッドアッセンブリ１の一部を拡大して示す背面図である。詳しくは、図５は、第２軸部材３３ｂとその近傍を拡大して示す。また、図５は、収納姿勢の第２持ち手部品２ｂを示す。
【００４１】
図５に示すように、ベース部材３は、第２保持部３７を有する。第２保持部３７は、第２持ち手部品２ｂの姿勢を収納姿勢に保持する。詳しくは、第２保持部３７は、当接面３８を有する。収納姿勢の第２持ち手部品２ｂは、当接面３８に当接する。第２保持部３７は、第２持ち手部品２ｂが当接面３８に当接したことに応じて、第２持ち手部品２ｂを収納姿勢に保持するように構成されている。換言すると、第２保持部３７は、第２持ち手部品２ｂの第２回転方向Ｒ２への回転を規制する。
【００４２】
本実施形態では、第２持ち手部品２ｂの曲がり部２６が当接面３８に当接する。第２軸部材３３ｂは、第２持ち手部品２ｂの曲がり部２６が当接面３８に当接するように、第２持ち手部品２ｂを回転自在に支持する。
【００４３】
次に、図５を参照して、嵌合穴３６を説明する。図５に示すように、嵌合穴３６は、上縁部３６ａ、左縁部３６ｂ、及び右縁部３６ｃを有する。上縁部３６ａは、嵌合穴３６の上側の縁を形成する。左縁部３６ｂは、嵌合穴３６の左側の縁を形成する。右縁部３６ｃは、嵌合穴３６の右側の縁を形成する。嵌合穴３６は、例えば、矩形状である。
【００４４】
以上、図４及び図５を参照して、ヘッドアッセンブリ１の第２端部１ｂ側の構成を説明した。なお、ヘッドアッセンブリ１の第１端部１ａ側の構成は、ヘッドアッセンブリ１の第２端部１ｂ側の構成と同様である。すなわち、第１持ち手部品２ａの第１支持部２１は、第２持ち手部品２ｂと同様に、曲がり部２６を有する。ベース部材３は、第１持ち手部品２ａの回転時に第１持ち手部品２ａの曲がり部２６が通過する通過穴３５を有する。また、ベース部材３は、第１持ち手部品２ａの姿勢を収納姿勢に保持する第２保持部３７を有する。左側の第１保持部３４ａは、右側の第１保持部３４ｂと同様に、嵌合穴３６を有する。以下、右側の第１保持部３４ｂが有する嵌合穴３６を、「右側の嵌合穴３６」と記載するとともに、左側の第１保持部３４ａが有する嵌合穴３６を、「左側の嵌合穴３６」と記載する場合がある。
【００４５】
次に、図６及び図７を参照して、作業者がヘッドアッセンブリ１を搬送する際の持ち手部品２の姿勢を説明する。図６は、本実施形態に係るヘッドアッセンブリ１を示す斜視図である。詳しくは、図６は、右斜め後ろの上方から見たヘッドアッセンブリ１を示す。また、図６は、搬送姿勢の持ち手部品２を示す。
【００４６】
図６に示すように、作業者がヘッドアッセンブリ１を搬送する際、持ち手部品２は搬送姿勢を取る。本実施形態において、搬送姿勢は、上下方向に沿った姿勢である。
【００４７】
図７は、本実施形態に係るヘッドアッセンブリ１を示す背面図である。図７は、搬送姿勢の持ち手部品２を示す。図７に示すように、作業者がヘッドアッセンブリ１を搬送する際、持ち手部品２の一部が嵌合穴３６に嵌合する。この結果、持ち手部品２の回転が規制されて、持ち手部品２の姿勢が搬送姿勢に保持される。
【００４８】
以上、図１〜図７を参照して本実施形態のヘッドアッセンブリ１を説明した。本実施形態によれば、作業者がヘッドアッセンブリ１を搬送する際に、持ち手部品２の姿勢が搬送姿勢に保持される。したがって、作業者が持ち手部品２を手で把持してヘッドアッセンブリ１を搬送する際に、ヘッドアッセンブリ１の姿勢が安定する。その結果、インクジェット記録装置１００の装置本体の内部で、ヘッドアッセンブリ１が装置本体の構成部品に衝突し難くなり、ヘッドアッセンブリ１の搬送中にヘッドアッセンブリ１が破損する可能性を低減できる。
【００４９】
次に、図８及び図９を参照して、本実施形態のヘッドアッセンブリ１を更に説明する。図８は、本実施形態に係るヘッドアッセンブリ１の一部を拡大して示す斜視図である。詳しくは、図８は、右斜め後ろの上方から見た第２軸部材３３ｂとその近傍を拡大して示す。図９は、本実施形態に係るヘッドアッセンブリ１の一部を拡大して示す背面図である。詳しくは、図９は、第２軸部材３３ｂとその近傍を拡大して示す。また、図８及び図９は、搬送姿勢の第２持ち手部品２ｂを示す。
【００５０】
図８に示すように、本実施形態では、ヘッドアッセンブリ１の搬送中に、第２持ち手部品２ｂの曲がり部２６は、右側の嵌合穴３６に嵌合する。同様に、第１持ち手部品２ａの曲がり部２６は、左側の嵌合穴３６に嵌合する。
【００５１】
図９に示すように、第２持ち手部品２ｂの曲がり部２６が右側の嵌合穴３６に嵌合すると、右側の嵌合穴３６の左縁部３６ｂ及び右縁部３６ｃによって、第２持ち手部品２ｂの曲がり部２６が挟まれる。この結果、第２持ち手部品２ｂの回転が規制されて、第２持ち手部品２ｂの搬送姿勢が保持される。同様に、第１持ち手部品２ａの曲がり部２６は、左側の嵌合穴３６の左縁部３６ｂ及び右縁部３６ｃによって挟まれる。したがって、第１持ち手部品２ａの回転が規制されて、第１持ち手部品２ａの搬送姿勢が保持される。
【００５２】
詳しくは、作業者が、持ち手部品２を第１回転方向Ｒ１へ回転させて、持ち手部品２の姿勢を上下方向に沿った姿勢に変化させると、持ち手部品２の長穴２４が、上下方向に沿った姿勢となる。その後、作業者が持ち手部品２を持ち上げると、長穴２４の長軸に沿って持ち手部品２のみが上方向に移動する。この結果、持ち手部品２の曲がり部２６が嵌合穴３６に嵌合する。
【００５３】
また、持ち手部品２の曲がり部２６が嵌合穴３６に嵌合すると、曲がり部２６の上端が嵌合穴３６の上縁部３６ａに当接する。したがって、作業者が持ち手部品２を更に持ち上げると、ヘッドアッセンブリ１も持ち上がり、図１を参照して説明した設置部６からヘッドアッセンブリ１を取り外すことができる。
【００５４】
次に、図８及び図９を参照して、本実施形態のヘッドアッセンブリ１を更に説明する。図８及び図９に示すように、ベース部材３は、突き当て部３９を更に有する。突き当て部３９は、右側の第１保持部３４ｂに対向する。詳しくは、右側の第１保持部３４ｂと突き当て部３９とは、ヘッドアッセンブリ１を設置部６へ設置する方向において対向する。本実施形態において、右側の第１保持部３４ｂと突き当て部３９とは、上下方向において対向する。なお、ベース部材３は、左側の第１保持部３４ａと対向する突き当て部３９を更に有する。以下、左側の第１保持部３４ａと対向する突き当て部３９を、「左側の突き当て部３９」と記載するとともに、右側の第１保持部３４ａと対向する突き当て部３９を、「右側の突き当て部３９」と記載する場合がある。
【００５５】
次に、図１０〜図１２を参照して、本実施形態の持ち手部品２を更に説明する。図１０は、本実施形態に係るヘッドアッセンブリ１を示す背面図である。詳しくは、図１０は、設置部６に設置する際のヘッドアッセンブリ１を示す。図１１は、本実施形態に係るヘッドアッセンブリ１の一部を拡大して示す斜視図である。詳しくは、図１１は、右斜め後ろの上方から見た第２軸部材３３ｂとその近傍を拡大して示す。図１２は、本実施形態に係るヘッドアッセンブリ１の一部を拡大して示す背面図である。詳しくは、図１２は、第２軸部材３３ｂとその近傍を拡大して示す。図１０〜図１２は、ヘッドアッセンブリ１を設置部６に設置する際の第２持ち手部品２ｂを示す。
【００５６】
図１０〜図１２に示すように、作業者がヘッドアッセンブリ１を設置部６に設置する際、持ち手部品２は上下方向に沿った姿勢を取る。図１１及び図１２に示すように、作業者がヘッドアッセンブリ１を設置部６に設置する際、第２持ち手部品２ｂの曲がり部２６は、右側の嵌合穴３６から外れて、右側の突き当て部３９に当接する。同様に、作業者がヘッドアッセンブリ１を設置部６に設置する際、第１持ち手部品２ａの曲がり部２６は、左側の嵌合穴３６から外れて、左側の突き当て部３９に当接する。
【００５７】
具体的には、図１３及び図１４を参照して説明するように、インクジェット記録装置１００は、設置部６の内側に、ヘッドアッセンブリ１の位置を規制する規制部７を備える。規制部７は、当接部材７１と、当接部材７１を付勢する付勢部材７２とを有する。ヘッドアッセンブリ１は、設置部６の載置面６１に載置される前に、当接部材７１に当接する。ヘッドアッセンブリ１が当接部材７１に当接すると、持ち手部品２のみが長穴２４の長軸に沿って下方向に移動して、持ち手部品２の曲がり部２６が突き当て部３９に当接する。持ち手部品２の曲がり部２６が突き当て部３９に当接することにより、作業者が持ち手部品２を下方へ押す力がヘッドアッセンブリ１に効率よく伝わり、付勢部材７２の付勢力に抗して、ヘッドアッセンブリ１を設置部６の載置面６１へ向けて下方へ移動させることができる。
【００５８】
次に、図１３及び図１４を参照して、本実施形態のインクジェット記録装置１００を説明する。図１３は、インクジェット記録装置１００の一部を拡大して示す図である。詳しくは、図１３は、ヘッドアッセンブリ１の第１端部１ａ側を拡大して示す。図１３は、ヘッドアッセンブリ１が設置部６に設置される前段階を示す。なお、図面の簡略化のため、持ち手部品２、軸部材３３、第１保持部３４、通過穴３５、第２保持部３７、突き当て部３９等の持ち手部品２に関わる構成は図示していない。
【００５９】
まず、図１３を参照して、本実施形態のヘッドアッセンブリ１を更に説明する。図１３に示すように、ヘッドアッセンブリ１は、挿入穴５１を有する。本実施形態では、ヘッドアッセンブリ１の第１端部１ａ側に設けられた第１連結部材５ａが、挿入穴５１を有する。本実施形態において、挿入穴５１は貫通穴である。なお、以下の説明において、ヘッドアッセンブリ１の第１端部１ａ側に設けられた第１連結部材５ａを、「第１連結部材５ａａ」と記載する場合がある。
【００６０】
続いて、図１３を参照して、本実施形態のインクジェット記録装置１００を説明する。図１３に示すように、インクジェット記録装置１００は、ヘッドアッセンブリ１及び設置部６に加えて、規制部７と、位置決め部材８とを更に備える。
【００６１】
設置部６は、側壁６ａと、底壁６ｂとを有する。側壁６ａは、底壁６ｂの端部に接続して、底壁６ｂから上方向に延びる。底壁６ｂは、載置面６１を有する。載置面６１には、ヘッドアッセンブリ１の下面の一部が載置される。
【００６２】
規制部７は、設置部６に設けられて、ヘッドアッセンブリ１の位置を規制する。具体的には、規制部７は、ヘッドアッセンブリ１の長手方向における位置を規制する。規制部７は、ヘッドアッセンブリ１を押圧方向Ｄ１に沿って押圧するように構成されている。
【００６３】
本実施形態において、押圧方向Ｄ１は右方向であり、ヘッドアッセンブリ１の長手方向と平行又は略平行である。換言すると、押圧方向Ｄ１は、３つの記録ヘッド４が並ぶ方向と平行又は略平行である。規制部７は、ヘッドアッセンブリ１の第１端部１ａ側に設けられて、ヘッドアッセンブリ１を右方向に押圧する。具体的には、規制部７は、第１連結部材５ａａを押圧方向Ｄ１に沿って押圧する。
【００６４】
位置決め部材８は、設置部６に設けられて、設置部６に設置されたヘッドアッセンブリ１の位置を決める。具体的には、位置決め部材８は、ヘッドアッセンブリ１の長手方向の位置を決める。本実施形態において、位置決め部材８は、ピン状部材であり、設置部６の底壁６ｂに設けられる。詳しくは、位置決め部材８は、載置面６１から上方向に延びる。また、位置決め部材８は、ヘッドアッセンブリ１の第１端部１ａ側に配置されて、第１連結部材５ａａの挿入穴５１に挿入される。この結果、ヘッドアッセンブリ１の長手方向における位置が定まる。
【００６５】
続いて、図１３を参照して、本実施形態の規制部７を更に説明する。図１３に示すように、本実施形態の規制部７は、当接部材７１と、付勢部材７２とを有する。当接部材７１は、ヘッドアッセンブリ１と当接する。より具体的には、本実施形態の当接部材７１は、ヘッドアッセンブリ１の第１端部１ａ側に配置されて、第１連結部材５ａａの左側面と当接する。付勢部材７２は、押圧方向Ｄ１に沿って当接部材７１を付勢する。この結果、ヘッドアッセンブリ１が押圧方向Ｄ１に沿って押圧される。
【００６６】
詳しくは、当接部材７１は、設置部６の底壁６ｂの上面にスライド自在に配置される。付勢部材７２の一端は側壁６ａと接続し、付勢部材７２の他端は当接部材７１と接続する。例えば、付勢部材７２の一端は側壁６ａに固定され、付勢部材７２の他端は当接部材７１に固定される。付勢部材７２は、例えば、ばね部材である。
【００６７】
具体的には、図１４を参照して説明するように、挿入穴５１の押圧方向Ｄ１の長さＬ１は、位置決め部材８の押圧方向Ｄ１の長さＬ２よりも大きい。したがって、規制部７が押圧方向Ｄ１に沿ってヘッドアッセンブリ１を押圧することにより、位置決め部材８が、挿入穴５１を構成する内壁面のうち、左側の内壁面５１１に押圧される。その結果、ヘッドアッセンブリ１の長手方向における位置が規制されて、ヘッドアッセンブリ１の長手方向における位置が定まる。なお、本実施形態において、位置決め部材８の押圧方向Ｄ１の長さＬ２は、位置決め部材８の径を示す。
【００６８】
図１３に示すように、ヘッドアッセンブリ１が設置部６に設置される前段階において、当接部材７１は、付勢部材７２の付勢力により、第１位置Ｐ１に位置する。作業者は、ヘッドアッセンブリ１を設置部６に設置する際に、ヘッドアッセンブリ１を当接部材７１に当接させる。具体的には、作業者は、第１連結部材５ａａを当接部材７１に当接させる。作業者が、第１連結部材５ａａを当接部材７１に当接させた後、付勢部材７２の付勢力に抗してヘッドアッセンブリ１を下方向へ押圧すると、当接部材７１が、側壁６ａ側へ移動する。換言すると、当接部材７１は、押圧方向Ｄ１とは反対の方向へ移動する。
【００６９】
図１４は、インクジェット記録装置１００の一部を拡大して示す図である。詳しくは、図１４は、ヘッドアッセンブリ１の第１端部１ａ側を拡大して示す。また、図１４は、設置部６に設置されたヘッドアッセンブリ１を示す。なお、図１３と同様に、図面の簡略化のため、持ち手部品２に関わる構成は図示していない。
【００７０】
図１４に示すように、ヘッドアッセンブリ１が設置部６に設置されると、位置決め部材８が第１連結部材５ａａの挿入穴５１に挿入される。また、当接部材７１は、図６を参照して説明した第１位置Ｐ１から第２位置Ｐ２まで移動する。第２位置Ｐ２は、第１位置Ｐ１と比べて側壁６ａに近い位置であり、付勢部材７２は、第２位置Ｐ２に位置する当接部材７１を、第２位置Ｐ２から第１位置Ｐ１へ向かう方向に付勢する。すなわち、付勢部材７２は、当接部材７１を押圧方向Ｄ１に付勢する。その結果、付勢部材７２の付勢力により、第１連結部材５ａａが当接部材７１によって押圧方向Ｄ１に押圧される。換言すると、付勢部材７２の付勢力により、ヘッドアッセンブリ１が当接部材７１によって押圧方向Ｄ１に押圧される。挿入穴５１の押圧方向Ｄ１の長さＬ１は、位置決め部材８の押圧方向Ｄ１の長さＬ２よりも大きいため、ヘッドアッセンブリ１が押圧方向Ｄ１に沿って押圧されると、位置決め部材８が、挿入穴５１の左側の内壁面５１１に押圧される。挿入穴５１は、例えば、ヘッドアッセンブリ１又はベース部材３の長手方向に長い長穴であり得る。
【００７１】
また、設置部６の底壁６ｂは、開口６ｈを有する。ヘッドアッセンブリ１が設置部６に設置されると、記録ヘッド４のそれぞれの下端部４２（ノズル面側の端部）が開口６ｈから突出する。その結果、記録ヘッド４のノズル面４１は、設置部６の底壁６ｂの下方に配置される。
【００７２】
以上、図１３及び図１４を参照して説明したように、ヘッドアッセンブリ１を設置部６に設置する際には、付勢部材７２の付勢力に抗してヘッドアッセンブリ１を移動させる必要がある。本実施形態によれば、図１０〜図１２を参照して説明したように、ヘッドアッセンブリ１を設置部６に設置する際に、持ち手部品２の曲がり部２６が突き当て部３９に突き当たる。その結果、作業者が持ち手部品２を下方へ押す力がヘッドアッセンブリ１に効率よく伝わり、付勢部材７２の付勢力に抗して、ヘッドアッセンブリ１を設置部６の載置面６１へ向けて下方へ移動させることができる。
【００７３】
次に、図１５を参照して、本実施形態のインクジェット記録装置１００を更に説明する。図１５は、本実施形態に係るインクジェット記録装置１００の構成を示す図である。
【００７４】
図１５に示すように、インクジェット記録装置１００は、給紙部１１０と、シート搬送部１２０と、排出部１３０と、メンテナンスユニット１４０とを備える。また、インクジェット記録装置１００は、第１ヘッドアッセンブリ１１と、第２ヘッドアッセンブリ１２と、第３ヘッドアッセンブリ１３と、第４ヘッドアッセンブリ１４とを備える。
【００７５】
給紙部１１０は、シート搬送部１２０にシートＳを給紙する。本実施形態の給紙部１１０は、給紙カセット１１１と、給紙ローラー１１２とを有する。給紙カセット１１１は、少なくとも１枚のシートＳを収容する。給紙ローラー１１２は、給紙カセット１１１からシート搬送部１２０へシートＳを送り出す。なお、シートＳは記録媒体の一例である。
【００７６】
シート搬送部１２０は、シートＳを排出部１３０まで搬送する。詳しくは、シート搬送部１２０は、複数の搬送ガイド１２１と、複数の搬送ローラー対１２２と、レジストローラー対１２３とを有する。搬送ガイド１２１はシートＳの搬送路を構成する。搬送ローラー対１２２は、搬送路に沿ってシートＳを搬送する。レジストローラー対１２３は、第１ヘッドアッセンブリ１１〜第４ヘッドアッセンブリ１４と対向する領域へのシートＳの搬送タイミングを調整する。
【００７７】
本実施形態のシート搬送部１２０は、第１搬送ユニット１２４と、第２搬送ユニット１２５とを有する。第１搬送ユニット１２４は、第１ヘッドアッセンブリ１１〜第４ヘッドアッセンブリ１４と対向する。第１搬送ユニット１２４は、第１ヘッドアッセンブリ１１〜第４ヘッドアッセンブリ１４の直下の領域においてシートＳを搬送する。第２搬送ユニット１２５は、第１搬送ユニット１２４から送り出されたシートＳを、排出部１３０へ向けて搬送する。
【００７８】
第１ヘッドアッセンブリ１１〜第４ヘッドアッセンブリ１４に設けられた記録ヘッド４は、第１搬送ユニット１２４によって搬送されているシートＳに向けて、インクを吐出する。具体的には、第１ヘッドアッセンブリ１１〜第４ヘッドアッセンブリ１４のそれぞれの記録ヘッド４は、互いに異なる色のインクを吐出する。例えば、第１ヘッドアッセンブリ１１の記録ヘッド４は、ブラック色のインクを吐出する。第２ヘッドアッセンブリ１２の記録ヘッド４は、シアン色のインクを吐出する。第３ヘッドアッセンブリ１３の記録ヘッド４は、マゼンタ色のインクを吐出する。第４ヘッドアッセンブリ１４の記録ヘッド４は、イエロー色のインクを吐出する。
【００７９】
排出部１３０は、装置本体の外部にシートＳを排出する。本実施形態の排出部１３０は、排出トレイ１３１と、排出ローラー対１３２とを有する。排出ローラー対１３２は、シートＳを排出トレイ１３１に送り出す。
【００８０】
メンテナンスユニット１４０は、第１ヘッドアッセンブリ１１〜第４ヘッドアッセンブリ１４のそれぞれの記録ヘッド４をメンテナンスする。メンテナンスユニット１４０は、シートＳへの画像の記録時に第２搬送ユニット１２５の下方に位置し、記録ヘッド４のメンテナンス時に、第１ヘッドアッセンブリ１１〜第４ヘッドアッセンブリ１４の直下の位置へ移動する。なお、記録ヘッド４のメンテナンス時には、第１搬送ユニット１２４は、退避位置に移動している。退避位置は、第１搬送ユニット１２４がメンテナンスユニット１４０と衝突しない位置である。
【００８１】
本実施形態のメンテナンスユニット１４０は、キャップ部１４１と、クリーニング部１４２とを有する。図３を参照して説明したように、記録ヘッド４はノズル面４１を有する。キャップ部１４１は、キャッピング部材１４１ａを有する。キャッピング部材１４１ａは、記録ヘッド４のノズル面４１をキャッピングして、インクが乾燥し難い環境を提供する。
【００８２】
クリーニング部１４２は、記録ヘッド４のノズル面４１を清掃する。具体定には、クリーニング部１４２は、ワイプブレード１４２ａを有する。ワイプブレード１４２ａは、例えば、樹脂を材料として含む。ワイプブレード１４２ａは、ノズル面４１を清掃するクリーニング部材である。
【００８３】
クリーニング部１４２は、記録ヘッド４の下面にワイプブレード１４２ａを接触させたまま、ワイプブレード１４２ａを移動させる。この結果、ノズル面４１がワイプブレード１４２ａによって払拭されて、ノズル面４１が清掃される。具体的には、ノズル面４１に付着していたインクが、ワイプブレード１４２ａによって拭き取られる。
【００８４】
以上、図１〜図１５を参照して本発明の実施形態について説明した。但し、本発明は、上記の実施形態に限られるものではなく、その要旨を逸脱しない範囲で種々の態様において実施できる。また、上記の実施形態に開示される構成要素は適宜改変可能である。図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能である。
【００８５】
例えば、本発明の実施形態において、ヘッドアッセンブリ１は、ベース部材３の後壁３２側に、持ち手部品２の姿勢を保持する構成を備えたが、ヘッドアッセンブリ１は、ベース部材３の前壁３１側に、持ち手部品２の姿勢を保持する構成を備えてもよいし、ベース部材３の前壁３１側及び後壁３２側の両側に、持ち手部品２の姿勢を保持する構成を備えてもよい。
【００８６】
また、本発明の実施形態において、インクジェット記録装置１００は、４つのヘッドアッセンブリ１を備えたが、インクジェット記録装置１００は、１つ、２つ、又は３つのヘッドアッセンブリ１を備えてもよいし、５つ以上のヘッドアッセンブリ１を備えてもよい。
【００８７】
また、本発明の実施形態において、ヘッドアッセンブリ１は、３つの記録ヘッド４を有したが、ヘッドアッセンブリ１は、１つ、又は２つの記録ヘッド４を有してもよいし、４つ以上の記録ヘッド４を有してもよい。
【産業上の利用可能性】
【００８８】
本発明は、インクジェット方式で記録媒体に画像を記録する装置の分野に有用である。
【符号の説明】
【００８９】
１        ヘッドアッセンブリ
２        持ち手部品
３        ベース部材
５        連結部材
６        設置部
２４      長穴
２６      曲がり部
３３      軸部材
３３ａ    第１軸部材
３３ｂ    第２軸部材
３４      第１保持部
３６      嵌合穴
３７      第２保持部
３８      当接面
３９      突き当て部
１００    インクジェット記録装置
【図１】
2020121516.tif 000003
【図２】
2020121516.tif 000004
【図３】
2020121516.tif 000005
【図４】
2020121516.tif 000006
【図５】
2020121516.tif 000007
【図６】
2020121516.tif 000008
【図７】
2020121516.tif 000009
【図８】
2020121516.tif 000010
【図９】
2020121516.tif 000011
【図１０】
2020121516.tif 000012
【図１１】
2020121516.tif 000013
【図１２】
2020121516.tif 000014
【図１３】
2020121516.tif 000015
【図１４】
2020121516.tif 000016
【図１５】
2020121516.tif 000017